(57)【要約】【課題】  ステッカーをステッカーごと貼り替えることなく、用済みのステッカーを取り除き、新たに必要なステッカーを簡単容易に取り替えることのできるステッカーを提供する。【解決手段】  複数のステッカー要素からなり、各ステッカー要素が順番に取り剥がし可能に構成されたステッカーである。ステッカー要素を２枚にすることができる。また、保護紙（剥離紙）を該ステッカーの一面に配することができる。更に、ガラス窓やガラスドアに貼付することができる。【選択図】図３
0003111442.tif 000002
【実用新案登録請求の範囲】
【請求項１】
複数のステッカー要素からなり、各ステッカー要素が順番に取り剥がし可能に構成されたステッカー。
【請求項２】
ステッカー要素が２であることを特徴とする請求項１に記載のステッカー。
【請求項３】
更に、保護紙（剥離紙）を該ステッカーの一面に配したことを特徴とする請求項１又は請求項２に記載のステッカー。
【請求項４】
ガラス窓やガラスドアに貼付したことを特徴とする請求項１又は請求項２に記載のステッカー。
【考案の詳細な説明】
【技術分野】
【０００１】
本考案は、ガラス窓やガラスドア等に貼付し、それらを商店、建造物や施設の内外から見ることのできる、各種注意喚起、案内標識、広告宣伝媒体等の表示に使用するステッカーに関する。更に詳しくは、ステッカー自身を取り替えることなく、簡単容易に、異なるメッセージを記載したものに変更し得るステッカーに関する。
【背景技術】
【０００２】
商店、建造物や施設等のガラス窓やガラスドアに、各種注意喚起、案内標識、広告宣伝媒体等を表示するステッカーが貼付されている。そして、これらの多くのものは、施設の内外から見ることができるようになっている。例えば、商店のガラス窓やガラスドアに、その商店で使用可能なカード会社のロゴを記載したステッカーが貼付され、買い物客の便宜を図っている。
【０００３】
この種のステッカーには、その表裏両面に必要な事項が記載され、施設の内外から容易に認識できるようになっている。事実、実開平６−６４２６２号公報には、両面表示可能なステッカーが記載されている。更に、ステッカーの効果を高めるために、立体的なステッカーが、例えば、実用新案登録第３１０３４４７号公報に、袋詰めされた三次元的装飾ステッカーのセットが記載され、また、実用新案登録第３０７９０５４号公報には、文字やマークを立体成型した反射ステッカーが記載されている。
【０００４】
【特許文献１】実開平６−６４２６２号公報
【特許文献２】実用新案登録第３１０３４４７号公報
【特許文献３】実用新案登録第３０７９０５４号公報
【０００５】
以上のように、各種工夫されたステッカーが知られており、これらはいずれも期間を限定せず、比較的長期にわたって使用することを目的にしている。しかしながら、期間が限定されているような場合には、短期の使用となる。例えば、期間限定のキャンペーンが行われるような場合、そのキャンペーンが終了するまでは、そのキャンペーンに関する事項を付加した形でステッカーを使用し、そのキャンペーンが終了した際には、そのキャンペーンに関する事項を削除したステッカーに変更したいという希望がある。このような場合、キャンペーンが終了すると、キャンペーンに関する事項を記載したステッカーを取り外し、新たにキャンペーンに関する事項を記載していないステッカーを貼付することになる。これは、新たにステッカーを作り直さなければならず、また、貼り替えるという面倒さがある。即ち、ステッカーを貼り替えるなく、簡単容易にステッカーを交換したいという場合には問題となる。尚、キャンペーンの他、各種イベント、季節限定の催事等についても同様である。
【考案の開示】
【考案が解決しようとする課題】
【０００６】
本考案は、上記の問題を解消した、ステッカーをステッカーごと貼り替えることなく、用済みのステッカーを取り除き、新たに必要なステッカーに簡単容易に取り替えることのできるステッカーを提供しようとするものである。
【課題を解決するための手段】
【０００７】
本考案の要旨は、複数のステッカー要素からなり、各ステッカー要素が順番に取り剥がし可能に構成されたステッカーである。ステッカー要素は２枚が好適に使用される。また、保護紙（剥離紙）を該ステッカーの一面に配することができる。そして、本考案のステッカーは、ガラス窓やガラスドアに貼付することができる。
【考案の効果】
【０００８】
本考案は、ステッカーをステッカーごと貼り替えることなく、例えば、期間限定のステッカーを取り除き、新たに必要なステッカーに簡単容易に取り替えることができるという効果を奏する。貼り替えるために新たにステッカーを作り直す必要もなく、簡単容易に必要なステッカーと取り替えることができる。
【考案を実施するための最良の形態】
【０００９】
本考案は、多重のステッカー要素からなるステッカーである。ここでステッカー要素と称するのは、ステッカーを構成する要素である。本考案の多重のステッカー要素からなるステッカーは、端的には従来のステッカーを複数枚貼り合わせたものである。本考案のステッカーを構成する１枚ごとのものを、ここではステッカー要素と称している。例えば、二重のステッカーの例を図３に示した。この例では、ステッカー１は二枚のステッカー要素２、３及び保護紙（剥離紙）４とから構成されている。このステッカー１を使用するに際しては、保護紙（剥離紙）４を剥離する。保護紙（剥離紙）４を剥離すると、ステッカー要素３の裏面が現れる。ステッカー要素３の裏面には、ガラス窓やガラスドアに粘着可能に粘着剤が塗布されているとともに、ステッカーが長期的に伝えようとするメッセージ、例えば、図２に示すような、商店等で使用できるカード会社のロゴなどが記載されている。このメッセージは、比較的長期に使用するものとなっている。保護紙４を剥離して、ステッカー要素３の裏面をガラス窓やガラスドアに粘着する。ステッカー３の裏面に記載されたメッセージは、ガラス越しに認識することができる。ここで裏面と称しているのは、保護紙（剥離紙）が貼付されている面のことである。
【００１０】
上から１枚目のステッカー要素２の表面には、短期間に使用する事項を含むメッセージが記載されている。例えば、図１に示したように、キャンペーンの開催を伝えるメッセージ、商店等への来客を歓迎するメッセージとともに商店等で使用可能なカード会社のロゴが記載されている。キャンペーンに関する事項とカード会社のロゴとがステッカー要素２の表面に記載されている。キャンペーンは、その開催期間が限られるので、このメッセージを記載したステッカー要素は、キャンペーン終了後は使用する意味がなくなる。従って、キャンペーンが終了した時点では、ステッカー要素２を剥がし取り除くのである。そうすると、ステッカー要素３の表面が現れる。ステッカー要素３の表面には、期間限定されないメッセージ、例えば、商店で使用可能なカード会社のロゴが記載されている。具体的には、図２に示したものと同じものを記載することができる。言うまでもないが、ステッカー要素２とステッカー要素３とは剥離可能に粘着されている。この場合、ステッカー要素３の裏面のメッセージとステッカー要素表面のメッセージは、同一でもよいし、必ずしも一致しなくてもよい。
【００１１】
このようにして、必要な期間が過ぎれば、不要となったステッカー要素を取り除き、必要なステッカー要素へ簡単容易に取り替えることができる。この際、ステッカー全部を取り除き、新たに作成したステッカーを貼り直すことなく、新しいメッセージを記載したステッカーに変身させることができる。ステッカー要素や保護紙（剥離紙）を取り除きやすいように、ステッカー要素や保護紙（剥離紙）の周辺や角の一部にタグや切り欠きを設けることができる。
【００１２】
以上はステッカー要素が２枚の場合について説明したが、ステッカー要素は２枚には限定されない。３枚ないしそれ以上にすることもできる。例えば、期間限定のイベントやキャンペーンが複数経時的に存在する場合には、イベントやキャンペーンが開催される順番にステッカー要素を剥離可能に貼り合わせ、多重ステッカーとすることができる。イベントが終了するごとに、上から順番にステッカー要素を取り除いていけばよいのである。
【００１３】
また、図３に示したステッカーの例では、ステッカー要素３の裏面及び同表面に長期的なメッセージを記載し、ステッカー要素２の表面に短期的なメッセージを記載している。この場合には、短期的なメッセージは、商店、建造物や施設のガラス窓やガラスドアの外側から認識できた方がよい、即ち、表示効果が大きい。従って、ステッカー要素３の裏面を商店、建造物や施設の外側に貼付することになる。この場合、商店、建造物や施設の内側からは、長期的なメッセージが見られ、短期的なメッセージは商店、建造物や施設の外側から見ることができる。ステッカー自身を商店、建造物や施設のガラス窓やガラスドアの外側に貼付すると、役目を終えたステッカー要素２を取り除くにも便利である。
【００１４】
勿論、本考案のステッカーを商店、建造物や施設のガラス窓やガラスドアの内側に貼付することも可能である。この場合は、図３のステッカーで説明すれば、ステッカー要素３の裏面及び表面は長期的なメッセージが記載され、ステッカー要素２の表面に短期的なメッセージが記載される。短期的なメッセージは、商店、建造物や施設の内側で見られ、外側からは長期的なメッセージを見ることができる。ステッカー要素２は、役目が終わると取り除かれ、ステッカー要素３の表面の長期的なメッセージが現れることになる。
【産業上の利用可能性】
【００１５】
このようにして、本考案のステッカーは、商店をはじめ公共建造物、各種施設において、ガラス窓、ガラスドア等に貼付し、それらを商店、建造物、施設の内外から見ることのできる、各種注意喚起、案内標識、広告宣伝媒体等を表示するものであって、広く産業上利用できるものである。
【図面の簡単な説明】
【００１６】
【図１】本考案ステッカーの１枚目の例を示す図である
【図２】本考案ステッカーの２枚目の例を示す図である
【図３】本考案ステッカーの構成例を示す断面図である
【符号の説明】
【００１７】
１      ステッカー
２      １枚目ステッカー要素
３      ２枚目ステッカー要素
４      保護紙（剥離紙）
【図１】
0003111442.tif 000003
【図２】
0003111442.tif 000004
【図３】
0003111442.tif 000005
【手続補正書】
【提出日】平成17年4月7日(2005.4.7)
【手続補正１】
【補正対象書類名】図面
【補正対象項目名】全図
【補正方法】変更
【補正の内容】
【図１】
0003111442.tif 000006
【図２】
0003111442.tif 000007
【図３】
0003111442.tif 000008